【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
放射線が通過可能な材質で構成された直方体の形状を有する直方体部材と、
該直方体部材における平行な各辺の中心点を結ぶ位置に配置された、放射線を遮蔽する効果を有する材質で構成された各々直交する３つの平板部材と、
で構成されたことを特徴とする放射線治療装置校正用ファントム。
【請求項２】
前記直方体部材は、アクリルであり、前記平板部材は、鉛であることを特徴とする請求項１に記載の放射線治療装置校正用ファントム。
【請求項３】
被検体を載置する天板と、
前記天板を３次元的に移動可能に支持する寝台と、
前記寝台を支える支柱を中心に前記寝台を床と水平方向に回転させる第１寝台回転手段と、
放射線の放射中心線を中心に前記寝台を水平方向に回転させる第２寝台回転手段と、
前記被検体に向けて放射線を照射する放射線照射手段と、前記放射線照射手段から照射された放射線の照射野を規定する、前記放射線の照射方向と直交する方向に回転可能なコリメータとを有し、かつ前記天板の長手方向の軸に直交する方向から放射線が照射されるように前記放射線照射手段及び前記コリメータを備えており、さらに前記天板の長手方向の軸に直交する方向に回転可能に配置された架台と、
前記被検体を透過した放射線を基に画像を生成する画像生成手段と、を有する放射線治療装置であって、
放射線を遮蔽する効果を有する材質で構成された各々直交する３つの平板部材を有する放射線治療装置校正用ファントムを備え、
前記放射線照射手段から該校正用ファントムに向けて放射線を照射し、前記画像生成手段により生成された前記校正用ファントムの前記床に対して略鉛直方向又は前記床に対する鉛直方向と前記天板の長手方向の軸とに略直交する方向の前記平板部材に基づく略十字の画像を基に、前記第１寝台回転手段、前記第２寝台回転手段、前記コリメータ、又は前記架台の各回転軸のうちの少なくとも一つのずれがあることを検出する画像処理手段、
を備えたことを特徴とする放射線治療装置。
【請求項４】
前記画像処理手段は、
コントラストの変化の閾値及び前記略十字の画像の傾きの閾値を記憶しており、
前記略十字の画像の幅方向のコントラストの変化が前記閾値以上の変化をしている、もしくは前記略十字の画像の各辺の傾きが前記傾きの閾値を超えている場合には、前記回転軸のずれを検出する
ことを特徴とする請求項３に記載の放射線治療装置。
【請求項５】
前記天板は、前記放射線治療装置校正用ファントムを固定する固定手段を有していることを特徴とする請求項３又は請求項４に記載の放射線治療装置。
【請求項６】
被検体を載置する天板と、前記天板を３次元的に移動可能に支持する寝台と、前記寝台を支える支柱を中心に前記寝台を床と水平方向に回転させる第１寝台回転手段と、放射線の放射中心線を中心に前記寝台を回転させる第２寝台回転手段と、前記被検体に向けて放射線を照射する放射線照射手段と、前記放射線照射手段から照射された放射線の照射野を規定する、前記放射線の照射方向と直交する方向に回転可能なコリメータとを有し、前記天板の長手方向の軸に直交する方向から放射線が照射されるように前記放射線照射手段及び前記コリメータを備えており、さらに前記天板の長手方向の軸に直交する方向に回転可能に配置された架台と、前記被検体を透過した放射線を基に画像を生成する画像生成手段と、を備えた放射線治療装置の回転軸の校正を行う放射線治療装置校正方法であって、
放射線を遮蔽する効果を有する材質で構成された各々直交する３つの平板部材を有する放射線治療装置校正用ファントムを前記天板に配置するファントム配置段階と、
前記天板に配置された前記放射線治療装置校正用ファントムへ向けて放射線を照射する放射線照射段階と、
前記放射線治療装置校正用ファントムを透過した放射線を基に、該校正用ファントムの画像を生成する段階と、
前記校正用ファントムの画像から前記床に対して略鉛直方向の前記平板部材部分に基づく略十字の第１の画像を取得する第１画像取得段階と、
前記校正用ファントムの画像から前記床に対する鉛直方向と前記天板の長手方向の軸とに略直交する方向の前記平板部材に基づく略十字の第２の画像を取得する第２画像取得段階と、
前記１の画像と前記第２の画像との各々を基に、前記第１回転手段、前記第２回転手段、前記コリメータ、又は前記架台の各回転軸のうちの少なくとも一つにずれがあることを検出するずれ検出段階と、
を有することを特徴とする放射線治療装置校正方法。
【請求項７】
前記ファントム配置段階の前に、前記寝台、前記コリメータ、及び前記架台の各回転軸がそれぞれの基準位置に設定される段階をさらに有することを特徴とする請求項６に記載の放射線治療装置校正方法。
【請求項８】
前記ファントム配置段階と前記放射線照射段階の間に、前記直方体の中心が放射線の照射中心に一致するように、前記寝台の各回転軸が設定される段階をさらに有することを特徴とする請求項６に記載の放射線治療装置校正方法。
【手続補正２】
【補正対象書類名】明細書
【補正対象項目名】００１２
【補正方法】変更
【補正の内容】
【００１２】
請求項３に記載の放射線治療装置は、被検体を載置する天板と、前記天板を３次元的に移動可能に支持する寝台と、前記寝台を支える支柱を中心に前記寝台を床と水平方向に回転させる第１寝台回転手段と、放射線の放射中心線を中心に前記寝台を水平方向に回転させる第２寝台回転手段と、前記被検体に向けて放射線を照射する放射線照射手段と、前記放射線照射手段から照射された放射線の照射野を規定する、前記放射線の照射方向と直交する方向に回転可能なコリメータとを有し、かつ前記天板の長手方向の軸に直交する方向から放射線が照射されるように前記放射線照射手段及び前記コリメータを備えており、さらに前記天板の長手方向の軸に直交する方向に回転可能に配置された架台と、前記被検体を透過した放射線を基に画像を生成する画像生成手段と、を有する放射線治療装置であって、放射線を遮蔽する効果を有する材質で構成された各々直交する３つの平板部材を有する放射線治療装置校正用ファントムを備え、前記放射線照射手段から該校正用ファントムに向けて放射線を照射し、前記画像生成手段により生成された前記校正用ファントムの前記床に対して略鉛直方向又は前記床に対する鉛直方向と前記天板の長手方向の軸とに略直交する方向の前記平板部材に基づく略十字の画像を基に、前記第１寝台回転手段、前記第２寝台回転手段、前記コリメータ、又は前記架台の各回転軸のうちの少なくとも一つのずれがあることを検出する画像処理手段、を備えたことを特徴とするものである。
【手続補正３】
【補正対象書類名】明細書
【補正対象項目名】００１３
【補正方法】変更
【補正の内容】
【００１３】
請求項６に記載の放射線治療装置校正方法は、被検体を載置する天板と、前記天板を３次元的に移動可能に支持する寝台と、前記寝台を支える支柱を中心に前記寝台を床と水平方向に回転させる第１寝台回転手段と、放射線の放射中心線を中心に前記寝台を回転させる第２寝台回転手段と、前記被検体に向けて放射線を照射する放射線照射手段と、前記放射線照射手段から照射された放射線の照射野を規定する、前記放射線の照射方向と直交する方向に回転可能なコリメータとを有し、前記天板の長手方向の軸に直交する方向から放射線が照射されるように前記放射線照射手段及び前記コリメータを備えており、さらに前記天板の長手方向の軸に直交する方向に回転可能に配置された架台と、前記被検体を透過した放射線を基に画像を生成する画像生成手段と、を備えた放射線治療装置の回転軸の校正を行う放射線治療装置校正方法であって、放射線を遮蔽する効果を有する材質で構成された各々直交する３つの平板部材を有する放射線治療装置校正用ファントムを前記天板に配置するファントム配置段階と、前記天板に配置された前記放射線治療装置校正用ファントムへ向けて放射線を照射する放射線照射段階と、前記放射線治療装置校正用ファントムを透過した放射線を基に、該校正用ファントムの画像を生成する段階と、前記校正用ファントムの画像から前記床に対して略鉛直方向の前記平板部材部分に基づく略十字の第１の画像を取得する第１画像取得段階と、前記校正用ファントムの画像から前記床に対する鉛直方向と前記天板の長手方向の軸とに略直交する方向の前記平板部材に基づく略十字の第２の画像を取得する第２画像取得段階と、前記１の画像と前記第２の画像との各々を基に、前記第１回転手段、前記第２回転手段、前記コリメータ、又は前記架台の各回転軸のうちの少なくとも一つにずれがあることを検出するずれ検出段階と、を有することを特徴とするものである。